【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
外部装置から送信された印刷データをユーザ識別情報と対応付けて記憶する印刷データ記憶手段を備える画像形成装置と、前記画像形成装置とエリアへの入室とを管理する管理サーバとが通信可能に接続される画像形成システムであって、
前記管理サーバは、
入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信手段とを備え、
前記印刷データ記憶手段を備える画像形成装置は、
前記転送要求送信手段で送信された前記印刷データ転送要求を受信する転送要求受信手段と、
前記印刷データ転送要求に含まれる前記第１の特定情報に従って、前記印刷データ転送要求に含まれるユーザ識別情報に対応する印刷データを前記入室したエリアの画像形成装置へ送信する印刷データ送信手段と
を備えることを特徴とする画像形成システム。
【請求項２】
前記管理サーバは、
前記エリア情報とエリアに設置されている前記印刷データ記憶手段を備える画像形成装置を特定する特定情報とを対応付けて記憶する特定情報記憶手段と、
前記特定情報記憶手段から、前記入室したエリアのエリア情報と異なるエリア情報に対応付く第２の特定情報を取得する特定情報取得手段とを更に備え、
前記転送要求手段は、前記特定情報取得手段で取得した第２の特定情報に従って、前記前記印刷データ記憶手段を備える画像形成装置へ前記印刷データ転送要求を送信することを特徴とする請求項１に記載の画像形成システム。
【請求項３】
前記画像形成システムは、前記印刷データ記憶手段を備える画像形成装置を特定するための情報を記憶する画像形成装置と通信可能に接続され、
前記印刷データ記憶手段を備える画像形成装置を特定するための情報を記憶する画像形成装置は、
ユーザ認証に応じて、前記印刷データ記憶手段を備える画像形成装置を特定するための情報に従って、当該画像形成装置に前記ユーザ認証によって得られたユーザ識別情報を含む印刷要求を送信する印刷要求送信手段を備え、
前記印刷データ記憶手段を備える画像形成装置は、
前記ユーザ識別情報を含む印刷要求を受信する印刷要求受信手段と、
前記印刷要求受信手段で受信した印刷要求に含まれるユーザ識別情報に対応する印刷データを、前記印刷要求のあった画像形成装置へ送信する印刷データ送信手段と
を更に備えることを特徴とする請求項１又は２に記載の画像形成システム。
【請求項４】
前記画像形成装置は、
当該画像形成装置に外部装置から送信された印刷データをユーザ識別情報と対応付けて記憶する画像形成装置か否かを判定する記憶判定手段と、
前記記憶判定手段で記憶しない画像形成装置と判定された場合には、前記印刷データ記憶手段を備える画像形成装置を特定するための情報に従って、外部装置から送信された印刷データを転送する印刷データ転送手段と
を更に備えることを特徴とする請求項３に記載の画像形成システム。
【請求項５】
前記管理サーバは、
ユーザの入退室を管理する入退室管理手段と、
前記入退室管理手段でユーザがエリアへ入室がない状態か否かを判定する状態判定手段と、
前記状態判定手段で、入室がない状態と判定された場合に、前記印刷データ記憶手段を備える画像形成装置に、当該ユーザのユーザ識別情報を含む印刷データ削除要求を送信する印刷データ削除要求送信手段とを更に備え、
前記印刷データ記憶手段を備える画像形成装置は、
前記ユーザ識別情報を含む印刷データ削除要求を受信する印刷データ削除要求受信手段と、
前記印刷データ削除要求受信手段で受信した前記印刷データ削除要求に含まれるユーザ識別情報に対応する印刷データを前記印刷データ記憶手段から削除する削除手段と
を更に備えることを特徴とする請求項１乃至４のいずれか１項に記載の画像形成システム。
【請求項６】
前記管理サーバは、認証サーバと入退室管理サーバで構成することを特徴とする請求項１乃至５のいずれか１項に記載の画像形成システム。
【請求項７】
外部装置から送信された印刷データをユーザ識別情報と対応付けて記憶する印刷データ記憶手段を備える画像形成装置と通信可能に接続される前記画像形成装置とエリアへの入室とを管理する管理サーバであって、
印刷データを入室したエリアの画像形成装置へ送信させるべく、入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信手段
を備えることを特徴とする管理サーバ。
【請求項８】
入室したユーザのユーザ識別情報及び入室したエリアのエリア情報を含む入室情報に従って、当該エリアと異なるエリアに設置される印刷データが記憶されている画像形成装置に、前記ユーザ識別情報と前記入室したエリアにおける画像形成装置を特定する第１の特定情報とを含む印刷データ転送要求を送信する管理サーバと通信可能に接続される、外部装置から送信された印刷データをユーザ識別情報と対応付けて記憶する印刷データ記憶手段を備える画像形成装置であって、
前記管理サーバから送信された前記印刷データ転送要求を受信する転送要求受信手段と、
前記印刷データ転送要求に含まれる前記第１の特定情報に従って、前記印刷データ転送要求に含まれるユーザ識別情報に対応する印刷データを前記入室したエリアの画像形成装置へ送信する印刷データ送信手段と
を備えることを特徴とする画像形成装置。
【請求項９】
外部装置から送信された印刷データをユーザ識別情報と対応付けて記憶する印刷データ記憶手段を備える画像形成装置と、前記画像形成装置とエリアへの入室とを管理する管理サーバとが通信可能に接続される画像形成システムの処理方法であって、
前記管理サーバが、
入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信ステップとを実行し、
前記印刷データ記憶手段を備える画像形成装置が、
前記転送要求送信ステップで送信された前記印刷データ転送要求を受信する転送要求受信ステップと、
前記印刷データ転送要求に含まれる前記第１の特定情報に従って、前記印刷データ転送要求に含まれるユーザ識別情報に対応する印刷データを前記入室したエリアの画像形成装置へ送信する印刷データ送信ステップと
を実行することを特徴とする処理方法。
【請求項１０】
外部装置から送信された印刷データをユーザ識別情報と対応付けて記憶する印刷データ記憶手段を備える画像形成装置と通信可能に接続される前記画像形成装置とエリアへの入室とを管理する管理サーバの処理方法であって、
前記管理サーバが、
印刷データを入室したエリアの画像形成装置へ送信させるべく、入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信ステップ
を実行することを特徴とする処理方法。
【請求項１１】
入室したユーザのユーザ識別情報及び入室したエリアのエリア情報を含む入室情報に従って、当該エリアと異なるエリアに設置される印刷データが記憶されている画像形成装置に、前記ユーザ識別情報と前記入室したエリアにおける画像形成装置を特定する第１の特定情報とを含む印刷データ転送要求を送信する管理サーバと通信可能に接続される、外部装置から送信された印刷データをユーザ識別情報と対応付けて記憶する印刷データ記憶手段を備える画像形成装置の処理方法であって、
前記画像形成装置が、
前記管理サーバから送信された前記印刷データ転送要求を受信する転送要求受信ステップと、
前記印刷データ転送要求に含まれる前記第１の特定情報に従って、前記印刷データ転送要求に含まれるユーザ識別情報に対応する印刷データを前記入室したエリアの画像形成装置へ送信する印刷データ送信ステップと
を実行することを特徴とする処理方法。
【請求項１２】
外部装置から送信された印刷データをユーザ識別情報と対応付けて記憶する印刷データ記憶手段を備える画像形成装置と、前記画像形成装置とエリアへの入室とを管理する管理サーバとが通信可能に接続される画像形成システムのプログラムあって、
前記管理サーバを、
入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信手段として機能させ、
前記印刷データ記憶手段を備える画像形成装置を、
前記転送要求送信手段で送信された前記印刷データ転送要求を受信する転送要求受信手段と、
前記印刷データ転送要求に含まれる前記第１の特定情報に従って、前記印刷データ転送要求に含まれるユーザ識別情報に対応する印刷データを前記入室したエリアの画像形成装置へ送信する印刷データ送信手段
として機能させることを特徴とするプログラム。
【請求項１３】
外部装置から送信された印刷データをユーザ識別情報と対応付けて記憶する印刷データ記憶手段を備える画像形成装置と通信可能に接続される前記画像形成装置とエリアへの入室とを管理する管理サーバのプログラムであって、
前記管理サーバを
印刷データを入室したエリアの画像形成装置へ送信させるべく、入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信手段
として機能させることを特徴とするプログラム。
【請求項１４】
入室したユーザのユーザ識別情報及び入室したエリアのエリア情報を含む入室情報に従って、当該エリアと異なるエリアに設置される印刷データが記憶されている画像形成装置に、前記ユーザ識別情報と前記入室したエリアにおける画像形成装置を特定する第１の特定情報とを含む印刷データ転送要求を送信する管理サーバと通信可能に接続される、外部装置から送信された印刷データをユーザ識別情報と対応付けて記憶する印刷データ記憶手段を備える画像形成装置のプログラムであって、
前記画像形成装置を
前記管理サーバから送信された前記印刷データ転送要求を受信する転送要求受信手段と、
前記印刷データ転送要求に含まれる前記第１の特定情報に従って、前記印刷データ転送要求に含まれるユーザ識別情報に対応する印刷データを前記入室したエリアの画像形成装置へ送信する印刷データ送信手段
として機能させることを特徴とするプログラム。
【手続補正２】
【補正対象書類名】明細書
【補正対象項目名】０００８
【補正方法】変更
【補正の内容】
【０００８】
そこで、本発明は、画像形成装置に記憶された印刷データをユーザの入室に応じて適切な画像形成装置に転送することで、所望の画像形成装置からユーザが印刷を行うことができる仕組みを提供することを目的としている。
【手続補正３】
【補正対象書類名】明細書
【補正対象項目名】０００９
【補正方法】変更
【補正の内容】
【０００９】
前述した目的を達成するための第１の発明は、外部装置から送信された印刷データをユーザ識別情報と対応付けて記憶する印刷データ記憶手段を備える画像形成装置と、前記画像形成装置とエリアへの入室とを管理する管理サーバとが通信可能に接続される画像形成システムであって、前記管理サーバは、入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信手段とを備え、前記印刷データ記憶手段を備える画像形成装置は、前記転送要求送信手段で送信された前記印刷データ転送要求を受信する転送要求受信手段と、前記印刷データ転送要求に含まれる前記第１の特定情報に従って、前記印刷データ転送要求に含まれるユーザ識別情報に対応する印刷データを前記入室したエリアの画像形成装置へ送信する印刷データ送信手段とを備えることを特徴とする。
【手続補正４】
【補正対象書類名】明細書
【補正対象項目名】００１０
【補正方法】変更
【補正の内容】
【００１０】
また第２の発明は、外部装置から送信された印刷データをユーザ識別情報と対応付けて記憶する印刷データ記憶手段を備える画像形成装置と通信可能に接続される前記画像形成装置とエリアへの入室とを管理する管理サーバであって、印刷データを入室したエリアの画像形成装置へ送信させるべく、入室したユーザのユーザ識別情報及び入室したエリアのエリア情報を含む入室情報に従って、当該エリアと異なるエリアに設置される前記画像形成装置に、前記ユーザ識別情報と前記入室したエリアにおける前記画像形成装置を特定する第１の特定情報とを含む印刷データ転送要求を送信する転送要求送信手段とを備えることを特徴とする。
【手続補正５】
【補正対象書類名】明細書
【補正対象項目名】００１１
【補正方法】変更
【補正の内容】
【００１１】
また第３の発明は、入室したユーザのユーザ識別情報及び入室したエリアのエリア情報を含む入室情報に従って、当該エリアと異なるエリアに設置される印刷データが記憶されている画像形成装置に、前記ユーザ識別情報と前記入室したエリアにおける画像形成装置を特定する第１の特定情報とを含む印刷データ転送要求を送信する管理サーバと通信可能に接続される、外部装置から送信された印刷データをユーザ識別情報と対応付けて記憶する印刷データ記憶手段を備える画像形成装置であって、前記管理サーバから送信された前記印刷データ転送要求を受信する転送要求受信手段と、前記印刷データ転送要求に含まれる前記第１の特定情報に従って、前記印刷データ転送要求に含まれるユーザ識別情報に対応する印刷データを前記入室したエリアの画像形成装置へ送信する印刷データ送信手段とを備えることを特徴とする。
【手続補正６】
【補正対象書類名】明細書
【補正対象項目名】００１２
【補正方法】変更
【補正の内容】
【００１２】
またその他の発明は、上記画像形成処理システム、管理サーバ、画像形成装置の処理方法と、上記画像形成処理システム、管理サーバ、画像形成装置のプログラムである。
【手続補正７】
【補正対象書類名】明細書
【補正対象項目名】００１３
【補正方法】変更
【補正の内容】
【００１３】
本発明により、画像形成装置に記憶された印刷データをユーザの入室に応じて適切な画像形成装置に転送することで、所望の画像形成装置からユーザが印刷を行うことができる。